(57)【要約】      （修正有）【課題】適宜に裁断した点字用紙を重ね合わせて綴り、その任意の紙面上に携帯型点字器で、何時何処ででも手際よく平易に点字メモを取れる様にした点字メモ帳を提供する。【解決手段】右端で綴じた点字用紙（５枚）重ね合せ綴り１は、綴じ線に添って端材の方形差込片１ａを付ける。各点字用紙は綴じ線で折り返すと略３６０度の開閉が出来る。点字用紙１と略同形同寸で容易には曲がらないプラスチック素材などの硬性薄板２は、その一端（右）に差込み片１ａを差し受ける平らな袋状受け口２ａを設けて、袋状受け口２ａで差込み片１ａをしっくりと嵌め合せ表紙相当部２の下で右開きに点字用紙１を揃え点字メモ帳に仕上げる。袋状受け口２ａと対面端に繋ぎ留め材（軟性粘着ヒンジ）２ｂが附帯させてあり、表紙相当部２へぴったり重ね合せ上乗りさせおく携帯型点字器、例えば外形が縦７５ｍｍ横２００ｍｍ厚み５ｍｍのプラスチック製左開き型の左端部分を接合し一体化に繋ぎ留める。【選択図】図２
0003165695.tif 000002
【実用新案登録請求の範囲】
【請求項１】
点字で為すメモ（Ｍｅｍｏｒａｎｄｕｍ）行為が、何時何処ででも手際よく平易に繰り返し得るよう、携帯型点字器（一例、３０字６行で横長方形ブラスチック製左開き型）に適当する面的広がりを持つよう裁断した点字用紙の数枚程度を重ね合わせてその短辺の片側を綴じ、各点字用紙が綴じ線に添って折り返り自在となるよう端材（差込片形）を付けた横長帳形のものを点字用紙重ね合せ綴りの１単位となし、
その端材を、表紙相当部（ブラスチック素材などで、当該点字用紙と略同形同寸の容易には曲がらない薄板で、その一端を当該端材の受け口状に加工したもの）の端で差し受け嵌め合い、単位毎の用紙加除が容易な表紙相当部付き点字用紙重ね合せ綴り、即ち点字メモ帳に仕立ておき、
その表紙相当部の他端（差込み片受け口状端と対面の端部分）附帯の繋ぎ留め材である軟性粘着ヒンジ材などを機能させ、表紙相当部へ重ね合せ上乗りさせおく携帯型点字器の端部分（左開き型では左端部）を接合して一体化に繋ぎ留めたとき、
点字メモ帳中の任意点字用紙が、表紙相当部へぴったり重ね合せ上乗りの携帯型点字器の所定個所（点字凹板表裏）へ、視覚除外の手指感触での「繰る」と「開閉する」範疇の一連動作に従った定形ルート（例えば、右下から繰り出た点字用紙１枚が左上へ折り返り点字凹板面に至るルートなど）で出入りする特性が現出することを特徴とした用紙加除式の点字メモ帳。
【考案の詳細な説明】
【技術分野】
【０００１】  日々の生活において、記憶の端々を手近な紙片や携行する手帳へメモ（Ｍｅｍｏｒａｎｄｕｍ）書きし、後にそのメモ確認で生活上の便宜を得ていることが多い。このメモ関連行為を視覚除外で為すには、点字用紙へ点字用具で記憶の端々を記録し後に指触読で記録確認をするのがよく、この点字メモ行為が何時何処ででも手際よく平易に繰り返えし得るよう点字メモ行為の進捗を助長する考案「点字メモ帳」に関するものである。
【背景技術】
【０００２】  点字メモ行為（技術分野記載）に供する点字用具は、手や手指との繋がりを重視した形態であって、簡易な携帯型点字器にもその配慮が見受けられる。
しかしながら、そのような携帯型点字器への視覚除外での点字用紙の挟み込みなどは、当事者手指感触の個々任せで、その手指動作の負担が点字メモ行為の複雑感抵抗感の一因になっているようにも見受けられる。
【考案の開示】
【考案が解決しようとする課題】
【０００３】  適宜に裁断した点字用紙を重ね合わせて綴り、その任意の紙面上へ為す携帯型点字器でのメモ行為が、何時何処ででも手際よく平易に繰り返えし得るようにし点字メモ行為の進捗を助長して、生活の便宜を図る。
【考案を解決するための手段】
【０００４】  携帯型点字器（３０字６行で横長方形プラスチック製左開き型など）に適当する面的広がりを持つよう裁断した点字用紙の数枚程度を重ね合せてその短辺の片側を綴じ、各点字用紙が綴じ線に添って折り返り自在となるよう端材（差込み片形）を付けたものを点字用紙重ね合せ綴りの１単位となし、その端材を、表紙相当部（プラスチック素材などで、点字用紙と略同形同寸の容易には曲がらない薄板で、その一端を当該端材受け口状に加工したもの）の端で差し受け嵌め合い単位毎の加除が容易な表紙相当部付きの点字用紙重ね合せ綴り、即ち点字メモ帳に仕立てると、
その表紙相当部の他端（差込片受け口状端と対面の端部分）に附帯の繋ぎ留め材、例えば軟性粘着ヒンジ材などを機能させ、表紙相当部へ重ね合わせ上乗りさせおく携帯型点字器の端部分（左開き型では左端部）を接合して一体化に繋ぎ留めたとき、
点字メモ帳中の任意点字用紙が、その表紙相当部へぴったり重ね合せ上乗りの携帯型点字器の所定個所（点字凹板表裏）へ、視覚除外の手指感触での「繰る」と「開閉する」範疇の一連動作に従った定形ルート（例えば、右下から繰り出た点字用紙１枚が左上へ折り返って点字凹板面に至るルートなど）で出入りする点字メモ帳の特性が現出するので、視覚除外でのメモ行為が何時何処ででも手際よく平易に繰り返し得てその進捗が助長され、生活の便宜が図られる。
【考案の効果】
【０００５】  この考案の点字メモ行為では、手にした考案の点字メモ帳の任意用紙が、その表紙相当部へ重ね合せ上乗りの携行型点字器の所定個所へ、視覚除外の手指感触「繰る」と「開閉する」範疇の一流れ動作の定形ルートで出入りするなどの特性が現れ点字メモ行為の進捗が助長され、点字用紙の単位毎の加除が容易なことからメモ紙の区分整理保管や確認もし易くて、生活の便宜が増す。
【考案を実施するための最良の形態】
【０００６】  この考案において、表紙相当部に重ね合せ上乗りさせおく携行型点字器の定規板が最上面、その下に点字凹板が位置し、いずれも左開き形で表紙相当部の左端と接合させて一体化に繋ぎ留めてあり、表紙相当部の右端の差込片受け口に端材の差込片を差して嵌め合せおく点字用紙重ね合せ綴りは、表紙相当部の下で右開き形に位置し手の平と接している。
いま、最上面の点字器定規板を左開きし、手の平に接している点字用紙を右下から繰り出して左上へ折り返えすと当該用紙は定形ルートに従い点字器凹板表面へ至るから、開いておいた点字器定規板で当該用紙を挟み閉じすればメモ準備完了となる。
メモ済み紙は点字器板を開閉して点字凹板裏面へ添わせ（回避）保管すれば、後続の点字用紙の任意繰り出し性を妨げることなくメモ行為が続行し得る。メモ確認は当該紙を右に開くなどし定形ルートに従って出てくるメモ凸面を触読する。
【実施例】
【０００７】  添付図面に従って実施例を説明する。１は、右端で綴じた点字用紙（５枚）重ね合せ綴りで、綴じ線に添って端材の方形差込片１ａ（図では綴じ線に添って左方へ折り返っている）を付ける。各点字用紙は綴じ線で折り返すと略３６０度の開閉が出来る。１ａに１の区分整理保管用の小穴１ｂを開けておく。
２は、１と略同形同寸で容易には曲がらないプラスチック素材などの硬性薄板で、その一端（右）に差込み片１ａを差し受ける平らな袋状受け口２ａを設けて、２ａで１ａをしっくりと嵌め合せ表紙相当部２の下で右開きに１を揃え点字メモ帳に仕上げる。２の２ａと対面端に繋ぎ留め材（軟性粘着ヒンジ）２ｂが附帯させてあり、２へぴったり重ね合せ上乗りさせおく携帯型点字器、例えば外形が縦７５ｍｍ横２００ｍｍ厚み５ｍｍのプラスチック製左開き型の左端部分を接合し一体化に繋ぎ留めることが出来る。【０００８】  ３は携帯型点字器で、２にぴったり重ね合せ上乗りさせる、２ｂを機能させ定規板３ａを左に開く。１の点字用紙の任意１枚１ｃが右下から繰り出でて左上へと折り返えり点字凹板３ｂ表面に至る。１ｃを３ａで挟み閉じしてメモ準備完了。メモ済み紙は３ａ，３ｂ開閉で３ｂ裏面へ添わせて（回避）保管。点字メモ確認は、当該紙を右開きすればその凸面が出るので触読可。
視覚除外の「繰る」と「開閉する」範疇の一連動作に従った定形ルート、即ち点字用紙や点字器板が表紙相当部２の左右端を支軸線として、一般手帳の開閉やページ繰り動作と類似範疇の定形ルートに従っていることを確認する。
【図面の簡単な説明】
【０００９】
【図１】本考案「点字メモ帳」の点字用紙重ね合せ綴り１単位と表紙相当部の斜視図
【図２】表紙相当部の左端と重ね合せ上乗りの携帯型点字器左端の繋ぎ留め状況と、点字用紙重ね合せ綴り中の点字用紙任意１枚が携帯型点字器凹板表面へ入り込む途中の横側断面図
【図３】適用の携帯型点字器外形を示す斜視（参考）図
【符号の説明】
【００１０】１    点字用紙（５枚）重ね合わせ綴り（１単位）
１ａ  点字用紙重ね合せ綴りに付けた端材（方形差込み片形）
１ｂ  端材の小穴
１ｃ  点字用紙重ね合せ綴りの用紙任意１枚
２    点字用紙重ね合せ綴りの表紙相当部（硬性薄板素材）
２ａ  点字用紙重ね合せ綴り端材（差込片）の差し受け口
２ｂ  表紙相当部に附帯の繋ぎ留め材（軟性粘着ヒンジ）
３    携帯型点字器（左開き型）
３ａ  点字器定規板
３ｂ  点字器凹板
【図１】
0003165695.tif 000003
【図２】
0003165695.tif 000004
【図３】
0003165695.tif 000005
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
携帯型点字器に適当する面的広がりを持つよう裁断した点字用紙の数枚程度を重ね合せてその短辺の片側を綴じ、各点字用紙が綴じ線に添って折り返り自在となるよう端材を付けた横長帳形のものを点字用紙重ね合せ綴りの１単位となし、
その端材を当該点字用紙と略同形同寸の硬性薄板素材でその一端を当該端材の受け口状に加工した表紙相当部受け口で受けて嵌め合わせた折り返り自在で単位毎の用紙加除が容易な表紙相当部付き点字用紙重ね合せ綴りと、
前記表紙相当部に携帯型点字器を上乗りさせ前記表紙相当部の受け口状加工他端と携帯型点字器に設けられた軟性ヒンジ材からなるヒンジ部分を接合した用紙加除式の点字メモ帳。